(57)【要約】      （修正有）【課題】ボタン本体に組み込まれ回動操作が可能なノズルの線分状パターンの明確化，安定化を図ることを目的とする。【解決手段】オリフィス２ｆを挟む態様で広がり方向規制部２ｇを形成した鞘状のノズル２の内部に、ノズル２と同期回動可能な中子３を設けて、円錐台状側面１ｄと弾性脚部３ｆとの作用により中子３を円形状底部２ｃへ付勢した。ノズル２を回動操作すると中子３も同期回動して、小径プレート状部３ｂが渦巻き溝状部２ｅの開口側の一部を塞ぐ形の当接状態は初期態様を維持する。【選択図】図１
2018127247.tif 000002
【特許請求の範囲】
【請求項１】
内容物放出側本体へ組み込まれるノズルの内容物放出口を含んで回動操作対象の放出作動部の表面側に、外部空間域への放出パターンを線分状に設定するための対向平面からなる広がり方向規制部を形成し、
かつ、前記ノズルと、その後開口空間域に配設されて、ノズル内周面との間の長手方向通路ならびにこれから順に続くノズル底面の溝状部および前記内容物放出口との間の放出口側通路を設定する中子と、で構成される放出部を、同期回動可能な形で前記内容物放出側本体の前開口空間域に組み込んだ内容物放出構造において、
前記中子は、
その後端部分に、前記前開口空間域の底面側で受けられる被受け部を形成し、
前記内容物放出側本体は、
前記前開口空間域の底面側に、前記被受け部の受け部を形成し、
前記被受け部および前記受け部の間の弾性作用により、前記中子が、前記ノズル底面に対して、前記溝状部の開口側の一部を塞ぐ形の当接状態に保持される、
ことを特徴とする内容物放出構造。
【請求項２】
前記被受け部は、
前記後端部分の周回方向飛び飛びの位置に形成された弾性脚部であり、
前記受け部は、
円錐台状側面である、
ことを特徴とする請求項１記載の内容物放出構造。
記載の内容物放出構造。
【請求項３】
前記対向平面は、
それぞれの平面が、前記内容物放出口からの、第１の方向およびこれとは逆の第２の方向の双方に延びる態様で形成されている、
ことを特徴とする請求項１または２記載の内容物放出構造。
【請求項４】
請求項１乃至３のいずれかに記載の内容物放出構造を備え、かつ、放出剤および放出対象内容物を収容した、
ことを特徴とするエアゾール式製品。
【請求項５】
請求項１乃至３のいずれかに記載の内容物放出構造を備え、かつ、放出対象内容物を収容した、
ことを特徴とするポンプ式製品。
【発明の詳細な説明】
【技術分野】
【０００１】
本発明は、例えばボタン本体（内容物放出側本体）の前開口空間域へ組み込まれるノズルの内容物放出口を含む回動操作対象の放出作動部の表面側に、外部空間域への放出パターンを線分状に設定するための広がり方向規制部を形成した内容物放出構造に関する。
【０００２】
特に、ノズル内面との間の内容物通路を設定して放出作動部の回動操作によりノズルと同期回動する中子をノズル後開口空間域に配設し、この中子の後端側と、ボタン本体の前開口空間域底面側とを弾性保持するようにした内容物放出構造に関する。
【０００３】
この弾性保持の結果、ノズル後開口空間域の底面側とこれに対向する中子前端面部分との当接状態が、放出作動部の回動操作にともなうノズルおよび中子の同期回動のために初期設定状態から前後方向などにずれてしまう、といったようなことは生じない。
【０００４】
したがって、当接状態のノズルおよび中子によって設定される放出口側通路は上記同期回動後も初期設定態様のままであり、この放出口側通路を経て外部空間域に放出される線分状パターンはその上下，左右などの向きにかかわらず略同一のパターン形状となる。
【０００５】
本発明の内容物放出構造は、エアゾール式製品およびポンプ式製品のそれぞれに搭載可能である。その用途も、ガラスクリーナ，網戸クリーナ，ペイント，殺菌剤，除菌剤やその他の後述の各種分野にわたっている。
【０００６】
本明細書における「線分状」の語は、「一の字状」や「長楕円状」などのように長手方向としての任意の延長部分からなる態様の意で用いる。また、「ボタン本体」を、内容物放出側本体の一例として用いる。
【０００７】
本明細書では必要に応じて、図１の左右方向におけるノズル側（左側）を「前」といい、その反対側（図１の右側）を「後」という。また、図１の左右方向を「横」とし、同図の上下方向を「縦」とする。
【背景技術】
【０００８】
従来、ボタン本体の前開口空間域へ組み込まれるノズルの内容物放出口を含む回動操作対象の放出作動部の表面側に、外部空間域への放出パターンを長楕円状に設定するための広がり方向規制部を形成した内容物放出構造が提案されている（特許文献１参照）。
【先行技術文献】
【特許文献】
【０００９】
【特許文献１】特開２００１−７０８４３号公報
【発明の概要】
【発明が解決しようとする課題】
【００１０】
この従来の広がり方向規制部を形成した内容物放出構造においては、外部空間域への内容物放出パターンの形状が広がり方向規制部なしの場合のようにいわば「中抜け」態様の環状になる、ことはない。
【００１１】
本発明では、この広がり方向規制部を有する放出作動部（ノズル）の後開口空間域に、ノズル内面との間の内容物通路を設定してノズルと同期回動する中子を、中子後端側がボタン本体の前開口空間域底面側に弾性保持される形で配設している。
【００１２】
この弾性保持作用は、例えば中子の後端側周回方向に設けた複数の弾性脚部を、ボタン本体の前開口空間域底面に形成した円錐台状側面で受けることにより担保される。
【００１３】
本発明は、中子後端側とボタン本体の前開口空間域底面側との弾性保持作用により、当接状態のノズルおよび中子で設定される放出口側通路を回動操作後も初期態様のままにして、外部空間域に放出される線分状パターンの略同一形状化を図ること目的とする。
【００１４】
また、広がり方向規制部を構成する対向平面のそれぞれを、内容物放出口から第１方向およびこれとは逆の第２方向の双方に延びる態様で形成して、放出口側通路から外部空間域へ放出される内容物の線分状パターンの明確化，安定化を図ることを目的とする。
【課題を解決するための手段】
【００１５】
本発明は、以上の課題を次のようにして解決する。
（１）内容物放出側本体（例えば後述のボタン本体１）へ組み込まれるノズル（例えば後述のノズル２）の内容物放出口（例えば後述のオリフィス２ｆ）を含んで回動操作対象の放出作動部（例えば後述の放出作動部２ａ）の表面側に、外部空間域への放出パターンを線分状に設定するための対向平面からなる広がり方向規制部（例えば後述の広がり方向規制部２ｇ）を形成し、
かつ、前記ノズルと、その後開口空間域（例えば後述の後開口横鞘状部２ｂの内部空間域）に配設されて、ノズル内周面との間の長手方向通路（例えば後述の下流側流路Ｓ２）ならびにこれから順に続くノズル底面の溝状部（例えば後述の渦巻き溝状部２ｅ）および前記内容物放出口との間の放出口側通路（例えば後述の放出流路Ｓ３）を設定する中子（例えば後述の中子３）と、で構成される放出部を、同期回動可能な形で前記内容物放出側本体の前開口空間域（例えば後述の前開口横鞘状部１ｂの内部空間域）に組み込んだ内容物放出構造において、
前記中子は、
その後端部分に、前記前開口空間域の底面側で受けられる被受け部（例えば後述の弾性脚部３ｆ）を形成し、
前記内容物放出側本体は、
前記前開口空間域の底面側に、前記被受け部の受け部（例えば後述の円錐台状側面１ｄ）を形成し、
前記被受け部および前記受け部の間の弾性作用により、前記中子が、前記ノズル底面に対して、前記溝状部の開口側の一部を塞ぐ形の当接状態に保持される、
構成態様のものを用いる。
（２）上記（１）において、
前記被受け部は、
前記後端部分の周回方向飛び飛びの位置に形成された弾性脚部であり、
前記受け部は、
円錐台状側面である、
構成態様のものを用いる。
（３）上記（１），（２）において、
前記対向平面は、
それぞれの平面が、前記内容物放出口からの、第１の方向およびこれとは逆の第２の方向の双方に延びる態様で形成されている、
構成態様のものを用いる。
【００１６】
このような構成からなる内容物放出構造ならびに当該内容物放出構造を備えたエアゾール式製品およびポンプ式製品を本発明の対象としている。
【発明の効果】
【００１７】
本発明は以上の課題解決手段により、
(11)当接状態のノズルおよび中子で設定される放出口側通路を放出作動部の回動操作後も初期態様に維持して、外部空間域に放出される線分状パターンを略同一形状に設定し、
(12)広がり方向規制部の対向平面のそれぞれを、内容物放出口から第１方向およびこれとは逆の第２方向の双方に延びる態様で形成して、放出口側通路から外部空間域へ放出される内容物の線分状パターンを明確で安定なものに設定する、
といった効果を奏している。
【図面の簡単な説明】
【００１８】
【図１】内容物放出用のノズルと、これとともに回動する中子とのいわば周方向一体物をボタン本体の前開口横鞘状部に取り付けた内容物放出構造の縦断面を示す説明図部である。
【図２】図１のノズルおよび中子それぞれの斜視状態を示す説明図である。
【図３】図１のノズル・中子の一体構造およびこれが組み込まれるボタン本体それぞれの斜視状態を示す説明図である。
【図４】外部空間域への長楕円状の内容物放出パターンを示す説明図である。
【発明を実施するための形態】
【００１９】
図１〜図４を用いて本発明を実施するための形態を説明する。
【００２０】
上述したように、本発明の内容物放出構造はエアゾール式製品およびポンプ式製品の双方に搭載されえるが、以下の記載では単なる説明の便宜上、必要に応じてエアゾール式製品を前提とする。
【００２１】
なお、原則として、各図で用いるアルファベット付き参照番号の構成要素（例えば下開口縦鞘状部１ａ）は当該参照番号の数字部分の構成要素（例えばボタン本体１）の一部である。
【００２２】
図示の内容物放出構造は、概略、後述のボタン本体１，このボタン本体に組み込まれるノズル２および中子３ならびにこのボタン本体の内容物流入側に取り付けられる周知のステム４の、計四個の構成要素からなっている。
【００２３】
図１〜図４において、
Ｓ１はステム４からボタン本体１の内部空間域にいたる内容物の上流側流路，
Ｓ２は上流側流路Ｓ１に連続して、ボタン本体１，ノズル２および中子３の各構成要素により設定される内容物の下流側流路，
Ｓ３は下流側流路Ｓ２に連続した外部空間域流出側における内容物の放出流路，
Ｓ４は長楕円状（線分状）の内容物放出パターン（図４参照），
をそれぞれ示している。
【００２４】
また、
１は内容物放出操作の対象となるボタン本体，
１ａは当該ボタン本体の中央上下方向に形成されてステム流出側と嵌合する内容物通過用の下開口縦鞘状部，
１ｂは下開口縦鞘状部１ａの上部分からその下流側に形成された前開口横鞘状部，
１ｃは下開口縦鞘状部１ａと前開口横鞘状部１ｂとを連通させる横孔部，
１ｄは前開口横鞘状部１ｂの底面部分に横孔部１ｃを取り囲む態様で環状に形成されて、後述の弾性脚部３ｆそれぞれの自由端部分を受ける後方広がりの円錐台状側面，
１ｅは前開口横鞘状部１ｂの内周前面の後側部分に形成されて、後述の内側環凸状部２ｈを回動可能な状態で保持する外側環凹状部，
１ｆは外側環凹状部１ｅの隣接前側に形成されて、後述の内側環凹状部２ｊを回動可能かつ前後方向の位置置決め状態で保持する外側環凸状部，
をそれぞれ示している。
【００２５】
また、
２は後述の中子３とともに前開口横鞘状部１ｂの内周面に回動可能な形で取り付けられて、外部空間域への放出内容物のパターン形状の安定化作用を呈する筒状のノズル（放出作動部２ａ＋後開口横鞘状部２ｂ），
２ａはノズル２の前端部分であり、後述のオリフィス２ｆや広がり方向規制部２ｇを備えて当該ノズルの回動操作対象となりえる長方形状の放出作動部，
２ｂはノズル２の後側を構成する後開口横鞘状部，
２ｃは後述の中子３の前端面の小径プレート状部３ｂと当接する円形状底部，
２ｄは円形状底部２ｃに形成された内容物旋回合流用の中央凹状部，
２ｅは円形状底部２ｃの異なる外縁部分からそれぞれ中央凹状部２ｄの径方向へと続き、全体としては周方向の略９０度間隔の態様で形成された内容物通過用の計四個の渦巻き溝状部，
２ｆは中央凹状部２ｄに形成された内容物放出用のオリフィス，
２ｇはオリフィス２ｆを挟む態様で形成されて、当該オリフィスから放出される内容物の放出作動部２ａのいわば表面エリアでの広がり方向を、通常の放射状ではなく、当該オリフィスからその両側へ延びる略単一の線分状に設定するための、それぞれ平面同士が平行な対向状態に設定された半円柱状からなる一対の広がり方向規制部，
２ｈは後開口横鞘状部２ｂの外周面後側に形成されて、外側環凹状部１ｅに回動可能な状態で保持される内側環凸状部，
２ｊは内側環凸状部２ｈの隣接前側に形成されて、外側環凸状部１ｆに回動可能かつ前後方向の位置置決め状態で保持される内側環凹状部，
２ｋは後開口横鞘状部２ｂの内周面の前後方向に形成されて、後述の横溝状部３ｃとの係合作用によりノズル２および中子３をいわば同期回動させる計四個の横凸状ガイド部，
をそれぞれ示している。
【００２６】
なお、後開口横鞘状部２ｂおよび内側環凸状部２ｈそれぞれの後端側部分は、内容物放出構造組立て時にノズル２をボタン本体１の前開口横鞘状部１ｂに組み込みやすくするため、後方短径化の環状テーパ面に設定されている。
【００２７】
横凸状ガイド部２ｋの一対の長手方向側面も、ノズル２へ中子３を組み込み際のその横溝状部３ｃのいわば周方向位置合わせを簡単にするため、それぞれの間が後方狭まりで後端部分にて交わる形に設定されている。
【００２８】
また、
３はノズル２と同期回動可能な形で、ボタン本体１の前開口横鞘状部１ｂとノズル２の後開口横鞘状部２ｂとで構成される円筒状空間域に組み込まれて、自らの外周面側に、横孔部１ｃから渦巻き溝状部２ｅまでの内容物流路を設定する中子，
３ａは後開口横鞘状部２ｂの内面部分との間で内容物流路の設定作用を呈する大径円柱状部，
３ｂは大径円柱状部３ａの前端面部分に形成されて、その外側周回方向に環状の内容物流路を設定するための小径プレート状部（凸状部），
３ｃは大径円柱状部３ａの外周面横方向に形成されて、横凸状ガイド部２ｋとの間で被案内作用を呈する計四個の横溝状部，
３ｄは横溝状部３ｃの前端部分からその周方向両側へ「ハの字状」に連続形成されて、中子３が、ノズル２への取付け作業初期段階においてその周回方向位置を当該ノズルの横凸状ガイド部２ｋの後端斜面部分に合致するように案内される一対の中子初期被誘導部，
３ｅは大径円柱状部３ａの前端面の一部であって小径プレート状部３ｂの周回部分を構成する環状平面，
３ｆは大径円柱状部３ａの後端面外縁の周方向等間隔部分から後方向に形成されて、それぞれの自由端部分がボタン本体１の円錐台状側面１ｄに保持される計四個の弾性脚部，
をそれぞれ示している。
【００２９】
また、
４はボタン本体１の押下げ操作などに連動して周知のバルブ作用を呈することにより、容器本体(図示省略)の内容物を、概略、「下開口縦鞘状部１ａ−横孔部１ｃ−前開口横鞘状部１ｂの後側内部空間域−後開口横鞘状部２ｂの内周面と大径円柱状部３ａの外周面との間の環状域−ノズル２の渦巻き溝状部２ｅ−中央凹状部２ｄ−オリフィス２ｆ」の経路により外部空間域に放出する機能を備えたステム， 
４ａは鞘状で内容物通過用の内部空間域，
をそれぞれ示している。
【００３０】
ここで、ボタン本体１，ノズル２および中子３はポリプロピレン，ポリエチレン，ポリアセタール，ナイロン，ポリブチレンテレフタレートなどからなるプラスチック製のものであり、ステム４は例えば金属製，プラスチック製のものである。
【００３１】
図示の内容物放出構造の基本的特徴は、
(21)ノズル２の前端部分を含む放出作動部２ａに、オリフィス２ｆから外部空間域に放出される内容物放出パターンを長楕円状に設定するための対向平面からなる広がり方向規制部２ｇを形成し、かつ、ボタン本体１の前開口横鞘状部１ｂに、その前開口側から後方へ、内容物下流側流路の設定用の「ノズル２＋中子３」からなる放出側一体物をボタン本体に対して回動可能な形で組み入れることを前提とし、
(22)ボタン本体１への組入れ後における中子３の後端部分、すなわち前開口横鞘状部１ｂの底面側の受け対象である後端部分に例えば計四個の弾性脚部３ｆを形成し、
(23)前開口横鞘状部１ｂの底面側には、この弾性脚部３ｆの受け部としての円錐台状側面１ｄを形成した、
ことである。
【００３２】
このように前開口横鞘状部１ｂの底面側と中子３の後端側との間における受け態様は、底面側の円錐台状側面１ｄおよび後端側の弾性脚部３ｆの間の弾性当接作用によって所定のいわば適切状態に自動設定される。
【００３３】
すなわち、この前開口横鞘状部１ｂと中子３との弾性当接作用により、各構成要素のサイズ，形状などが本来の設計値と多少違っている場合にも、中子３の小径プレート状部３ｂはノズル２の円形状底部２ｃと適切状態で当接しえる。
【００３４】
例えば、中子３の前後方向の長さ（小径プレート状部３ｂの前端面から弾性脚部３ｆの後端部分までの長さ）が設計値よりもいくらか大きい場合や、
「ノズル２＋中子３」を前開口横鞘状部１ｂに組み込んだ状態での横孔部１ｃの前端部分から円形状底部２ｃまでの長さが設計値よりもいくらか小さい場合は、
弾性脚部３ｆの自由端側が円錐台状側面１ｄに案内されながら自弾性力に抗する形で外方へと広がる。
【００３５】
この弾性脚部３ｆの外方への広がりに対応して、その小径プレート状部３ｂとノズル２の円形状底部２ｃとの当接関係も図１と同様の状態に移行する。
【００３６】
これとは逆に、中子３の前後方向の長さが設計値よりもいくらか小さい場合や、
「ノズル２＋中子３」を前開口横鞘状部１ｂに組み込んだ状態での横孔部１ｃの前端部分から円形状底部２ｃまでの長さが設計値よりもいくらか大きい場合は、
弾性脚部３ｆの自由端側が自弾性力により円錐台状側面１ｄに案内されながら内方へと復帰する。
【００３７】
そして、この弾性脚部３ｆの内方への復帰に対応して、その小径プレート状部３ｂとノズル２の円形状底部２ｃとの当接関係も図１と同様の状態に移行する。
【００３８】
円形状底部２ｃと小径プレート状部３ｂとの上記適切状態での当接作用は、前開口横鞘状部１ｂに「ノズル２＋中子３」が組み込まれたときの初期周回位置や、その後の放出作動部２ａの回動操作で任意に設定される選択周回位置のいずれにおいても担保される。
【００３９】
図１の内容物放出機構（ボタン本体１，ノズル２，中子３，ステム４）の組立ては、
(31)先ず中子３を、その小径プレート状部３ｂの前側からノズル２の後開口横鞘状部２ｂに、横溝状部３ｃが横凸状ガイド部２ｋに合致する位置関係で挿入して、これによりノズル２および中子３を同期回動態様に設定し（図２参照）、
(32)この設定後のノズル２および中子３の中間一体物の後側を、ボタン本体１の前開口横鞘状部１ｂの開口側に、ノズル２の内側環凸状部２ｈおよび内側環凹状部２ｊがそれぞれボタン本体１の外側環凹状部１ｅおよび外側環凸状部１ｆに係合するまで嵌めこみ、
(33)このはめ込み後の一体物（ボタン本体１，ノズル２および中子３）の下開口縦鞘状部１ａの開口側をステム４の上開口端部側の外周面などに係合保持させる、
といった手順などになる。
【００４０】
この組立後の内容物放出機構は、
(41)ノズル２および中子３の中間一体物がその放出作動部２ａの回動操作によりボタン本体１に対して同期回動し、
(42)ボタン本体１の押下げ操作に基づいてステム４が下方に移動し、この移動にともない周知の弁機構(図示省略)がそれまでの閉状態から開状態に移行し、
(43)この弁機構の開状態への移行にともない、周知の容器本体(図示省略)に収容された内容物が、図示の上流側流路Ｓ１および下流側流路Ｓ２を経てオリフィス２ｆから外部空間域に放出流路Ｓ３の形で放出される。
【００４１】
このように利用者は、ノズル２の放出作動部２ａをつまんで回動することにより長楕円状の内容物放出パターンＳ４の長軸方向（短軸方向）を変えることができる。
【００４２】
このとき、ノズル２および中子３は、それぞれの横凸状ガイド部２ｋと横溝状部３ｃとの周方向係合作用によりいわば同一位相で同期回動し、かつ、中子後端側の四個の弾性脚部３ｆがそれぞれボタン本体１の円錐台状側面１ｄに当接している。
【００４３】
そのため、ノズル２（内側環凸状部２ｈ，内側環凹状部２ｊ）とボタン本体１（外側環凹状部１ｅ，外側環凸状部１ｆ）とが係合した形で、円形状底部２ｃと小径プレート状部３ｂとは弾性脚部３ｆの変形作用により所定の当接状態に確実に保持される。
【００４４】
例えばボタン本体の前開口横鞘状部１ｂの円錐台高面部分およびノズルの円形状底部２ｃ（小径プレート状部３ｂとの当接部分）の間の前後方向長さと、中子３の前後方向全長との相対関係が設計値からずれた場合にも、弾性脚部３ｆの変形作用がそれを補償する。
【００４５】
すなわち、この設計値からのずれに応じて弾性脚部３ｆがいわば自動変形し、これにより円形状底部２ｃと小径プレート状部３ｂとは所定の安定状態で当接する。
【００４６】
この当接状態は、放出作動部２ａの回動操作にともない中子３がノズル２と同一位相で同期回動した後の段階でも同様に担保されるので、当該回動操作によって内容物放出パターンＳ４の形状が変化することはない。
【００４７】
図１および図４に示すように、ボタン本体１を押し下げると、これに連動するステム４が下方に移動して周知の弁機構が開状態となり、容器本体（弁機構）からオリフィス２ｆまでの「上流側流路Ｓ１−下流側流路Ｓ２−放出流路Ｓ３」の経路が設定される。
【００４８】
ここで、周知の容器本体(図示省略)に収容済みの内容物がステム４の内部空間域４ａからボタン本体１の下開口縦鞘状部１ａを通って横孔部１ｃに流入し、上流側流路Ｓ１を構成する。
【００４９】
横孔部１ｃから前開口横鞘状部１ｂの後側内部空間域へと流入した内容物は、ノズル２の後開口横鞘状部２ｂの内周面と中子３の大径円柱状部３ａの外周面とで画定される環状空間域を通り、四個の渦巻き溝状部２ｅを経て中央凹状部２ｄで合流した渦流となる。この渦流は、ノズル２のオリフィス２ｆから外部空間域に拡散放出される。
【００５０】
図４で示すように、外部空間域への放出内容物は、オリフィス２ｆの両側に形成された広がり方向規制部２ｇの対向平面それぞれのいわば整形作用により、長楕円状の内容物放出パターンＳ４になっている。
【００５１】
本発明が以上の実施形態に限定されないことは勿論であり例えば、
(51)押下げ形式の内容物放出操作用のボタン本体１に代えて、トリガレバー形式の内容物放出操作部を用いる、
(52)弾性脚部３ｆに代えてボタン本体１の前開口横鞘状部１ｂの底面側を弾性仕様に設定する、
(53)弾性脚部３ｆ、および前開口横鞘状部１ｂの底面側の弾性仕様部分を併用する、
(54)弾性脚部３ｆとして、板バネ，コイルスプリングや皿バネなどの各種弾性部材を用いる、
(55)凹状部（溝状部）および凸状部の組合せからなる各構成要素について、その凹凸関係を逆に設定する、
ようにしてもよい。
【００５２】
本発明が適用されるエアゾール式製品およびポンプ式製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤，洗濯のり，消火器，塗料，接着剤，潤滑剤，ウレタンフォームなどの各種用途のものがある。
【００５３】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００５４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００５５】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００５６】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００５７】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００５８】
高分子化合物としては、ヒドロキシエチルセルロース，メチルセルロース，ゼラチン，デンプン，カゼイン，キサンタンガム，カルボキシビニルポリマーなどを用いる。
【００５９】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００６０】
さらに、上記内容物以外の、懸濁剤，乳化剤，酸化防止剤，金属イオン封鎖剤なども用いることができる。
【００６１】
内容物放出射用の放出剤としては、炭酸ガス，窒素ガス，圧縮空気，亜酸化窒素，酸素ガス，希ガス，これらの混合ガスなどの圧縮ガスや、液化石油ガス，ジメチルエーテル，ハイドロフルオロオレフィンなどの液化ガスを用いる。
【符号の説明】
【００６２】
Ｓ１：内容物の上流側流路
Ｓ２：内容物の下流側流路
Ｓ３：内容物の放出流路
Ｓ４：長楕円状の内容物放出パターン（図４）
【００６３】
１：ボタン本体
１ａ：下開口縦鞘状部
１ｂ：前開口横鞘状部
１ｃ：横孔部
１ｄ：円錐台状側面
１ｅ：外側環凹状部
１ｆ：外側環凸状部
【００６４】
２：ノズル（放出作動部２ａ＋後開口横鞘状部２ｂ）
２ａ：長方形状の放出作動部
２ｂ：後開口横鞘状部
２ｃ：円形状底部
２ｄ：中央凹状部
２ｅ：計四個の渦巻き溝状部
２ｆ：オリフィス
２ｇ：一対の広がり方向規制部
２ｈ：内側環凸状部
２ｊ：内側環凹状部
２ｋ：計四個の横凸状ガイド部
【００６５】
３：中子
３ａ：大径円柱状部
３ｂ：小径プレート状部
３ｃ：計四個の横溝状部
３ｄ：中子初期被誘導部
３ｅ：環状平面
３ｆ：計四個の弾性脚部
【００６６】
４：ステム 
４ａ：内容物通過用の内部空間域
【図１】
2018127247.tif 000003
【図２】
2018127247.tif 000004
【図３】
2018127247.tif 000005
【図４】
2018127247.tif 000006